【手続補正書】
【提出日】平成16年12月10日(2004.12.10)
【手続補正１】
【補正対象書類名】特許請求の範囲
【補正対象項目名】全文
【補正方法】変更
【補正の内容】
【特許請求の範囲】
【請求項１】
直交周波数分割多重アクセス（ＯＦＤＭＡ）を採用しているシステムのためのサブキャリア選択の方法において、
複数のサブキャリアを少なくとも１つのサブキャリアのクラスタから成る複数のグループに分割する段階と、
前記複数のグループの中の１つ又は複数のグループの加入者による選択の表示を受信する段階と、
前記加入者が選択した１つ又は複数のクラスタのグループの中の少なくとも１つのクラスタを前記加入者との通信に使用するために割り当てる段階であって、前記少なくとも１つのサブキャリアのクラスタが１つの加入者に割り当てられるだけである、前記段階と、
から成ることを特徴とする方法。
【請求項２】
直交周波数分割多重アクセス（ＯＦＤＭＡ）を採用しているシステムのためのサブキャリア選択の方法において、
複数のサブキャリアを、少なくとも１つのサブキャリアのクラスタから成る複数のグループに分割する段階と、
前記複数のグループの中の１つ又は複数のグループの加入者による選択の表示を受信する段階と、
前記加入者が選択した１つ又は複数のクラスタのグループの中の少なくとも１つのクラスタを前記加入者との通信に使用するために割り当てる段階であって、前記加入者が少なくとも１つのクラスタを保有しているクラスタのグループの使用に関して少なくとも１人の他の加入者よりも高い優先順位を有しているようなグループ優先順位に基づいて前記少なくとも１つのクラスタを選択することを含む、前記段階と、
から成ることを特徴とする方法。
【請求項３】
直交周波数分割多重アクセス（ＯＦＤＭＡ）を採用しているシステムのためのサブキャリア選択の方法において、
複数のサブキャリアを、少なくとも１つのサブキャリアのクラスタから成る複数のグループに分割する段階と、
前記加入者からサブキャリアのクラスタの１つ又は複数のグループに関するフィードバック情報を受信する段階であって、前記フィードバック情報は、各グループ内の各クラスタのＳＩＮＲ値とグループ識別子とを含んでいる、前記段階と、
前記加入者が選択した１つ又は複数のクラスタのグループの中の少なくとも１つのクラスタを前記加入者との通信に使用するために割り当てる段階と、
から成ることを特徴とする方法。
【請求項４】
直交周波数分割多重アクセス（ＯＦＤＭＡ）を採用しているシステムのためのサブキャリア選択の方法において、
複数のサブキャリアを、少なくとも１つのサブキャリアのクラスタから成る複数のグループに分割する段階と、
前記複数のグループの中の１つ又は複数のグループの加入者による選択の表示を受信する段階と、
前記加入者からサブキャリアのクラスタの１つ又は複数のグループに関するフィードバック情報を受信する段階であって、前記フィードバック情報は、ソース符号化技法を使って圧縮され、エラー修正でエンコードされる、前記段階と、
前記加入者が選択した１つ又は複数のクラスタのグループの中の少なくとも１つのクラスタを前記加入者との通信に使用するために割り当てる段階と、
から成ることを特徴とする方法。
【請求項５】
直交周波数分割多重アクセス（ＯＦＤＭＡ）を採用しているシステムのためのサブキャリア選択の方法において、
複数のサブキャリアを、少なくとも１つのサブキャリアのクラスタから成る複数のグループに分割する段階と、
前記複数のグループの中の１つ又は複数のグループの加入者による選択の表示を受信する段階と、
前記加入者からサブキャリアのクラスタの１つ又は複数のグループに関するフィードバック情報を受信する段階であって、前記フィードバック情報は、前記加入者が使用を望んでいる候補クラスタグループとそれらに関係付けられた信号対干渉＋ノイズ比（signal plus interference to noise ratio）（ＳＩＮＲ）のリストを含んでおり、前記加入者が使用を望んでいる候補クラスタは、全ての可能なクラスタのセットの中で他のクラスタよりもＳＩＮＲが比較的高い全ての可能なクラスタのセットである、前記段階と、
前記加入者が選択した１つ又は複数のクラスタのグループの中の少なくとも１つのクラスタを前記加入者との通信に使用するために割り当てる段階と、
から成ることを特徴とする方法。
【請求項６】
直交周波数分割多重アクセス（ＯＦＤＭＡ）を採用しているシステムのためのサブキャリア選択の方法において、
複数のサブキャリアを、少なくとも１つのサブキャリアのクラスタから成る複数のグループに分割する段階と、
前記複数のグループの中の１つ又は複数のグループの加入者による選択の表示を受信する段階と、
前記加入者が選択した１つ又は複数のクラスタのグループの中の少なくとも１つのクラスタを前記加入者との通信に使用するために割り当てる段階と、
前記クラスタの１つ又は複数のグループに関する追加のフィードバック情報を受信する段階と、
前記加入者に追加のクラスタを割り当てる段階と、
から成ることを特徴とする方法。
【請求項７】
少なくとも１つのサブキャリアのクラスタから成る複数のグループの中の１つ又は複数のグループの加入者による選択の表示を受信し、且つ、前記加入者が少なくとも１つのクラスタを保有しているクラスタのグループの使用に関して少なくとも１人の他の加入者よりも高い優先順位を有しているようなグループ優先順位に基づいて前記少なくとも１つのクラスタを選択することにより、前記加入者が選択した１つ又は複数のクラスタのグループの中の少なくとも１つのクラスタを前記加入者との通信に使用するために割り当てる、クラスタ割当制御装置と、
前記クラスタ割当制御装置に接続されて、前記加入者によって使用される前記１つ又は複数のクラスタのグループにおける前記少なくとも１つのクラスタを表示するような通知を前記加入者へ送信する、直交周波数分割多重（ＯＦＤＭＡ）トランシーバと、
を備えることを特徴とする装置。
【請求項８】
少なくとも１つのサブキャリアのクラスタから成る複数のグループの中の１つ又は複数のグループの加入者による選択の表示と、サブキャリアのクラスタから成る前記１つ又は複数のグループに関する前記加入者からのフィードバック情報と、を受信する、クラスタ割当制御装置であって、前記フィードバック情報は、各グループ内の各クラスタのＳＩＮＲ値とグループ識別子を含んでおり、前記クラスタ割当制御装置は、更に、前記加入者が選択した１つ又は複数のクラスタのグループの中の少なくとも１つのクラスタを前記加入者との通信に使用するために割り当てる、前記クラスタ割当制御装置と、
前記クラスタ割当制御装置に接続されて、前記加入者によって使用される前記１つ又は複数のクラスタのグループにおける前記少なくとも１つのクラスタを表示するような通知を前記加入者へ送信する、直交周波数分割多重（ＯＦＤＭＡ）トランシーバと、
を備えることを特徴とする装置。
【請求項９】
少なくとも１つのサブキャリアのクラスタから成る複数のグループの中の１つ又は複数のグループの加入者による選択の表示と、サブキャリアのクラスタから成る前記１つ又は複数のグループに関する前記加入者からのフィードバック情報と、を受信する、クラスタ割当制御装置であって、前記フィードバック情報は、ソース符号化技法を使って圧縮され、エラー修正でエンコードされており、前記クラスタ割当制御装置は、更に、前記加入者が選択した１つ又は複数のクラスタのグループの中の少なくとも１つのクラスタを前記加入者との通信に使用するために割り当てる、前記クラスタ割当制御装置と、
前記クラスタ割当制御装置に接続されて、前記加入者によって使用される前記１つ又は複数のクラスタのグループにおける前記少なくとも１つのクラスタを表示するような通知を前記加入者へ送信する、直交周波数分割多重（ＯＦＤＭＡ）トランシーバと、
を備えることを特徴とする装置。
【請求項１０】
少なくとも１つのサブキャリアのクラスタから成る複数のグループの中の１つ又は複数のグループの加入者による選択の表示と、サブキャリアのクラスタから成る前記１つ又は複数のグループに関する前記加入者からのフィードバック情報と、を受信する、クラスタ割当制御装置であって、前記フィードバック情報は、前記加入者が使用を望んでいる候補クラスタグループとそれらに関係付けられた信号対干渉＋ノイズ比（signal plus interference to noise ratio）（ＳＩＮＲ）のリストを含んでおり、前記加入者が使用を望んでいる候補クラスタは、全ての可能なクラスタのセットの中で他のクラスタよりもＳＩＮＲが比較的高い全ての可能なクラスタのセットであり、前記クラスタ割当制御装置は、更に、前記加入者が選択した１つ又は複数のクラスタのグループの中の少なくとも１つのクラスタを前記加入者との通信に使用するために割り当てる、前記クラスタ割当制御装置と、
前記クラスタ割当制御装置に接続されて、前記加入者によって使用される前記１つ又は複数のクラスタのグループにおける前記少なくとも１つのクラスタを表示するような通知を前記加入者へ送信する、直交周波数分割多重（ＯＦＤＭＡ）トランシーバと、
を備えることを特徴とする装置。
【請求項１１】
少なくとも１つのサブキャリアのクラスタから成る複数のグループの中の１つ又は複数のグループの加入者による選択の表示を受信し、且つ、前記加入者が選択した１つ又は複数のクラスタのグループの中の少なくとも１つのクラスタを前記加入者との通信に使用するために割り当てる、クラスタ割当制御装置と、
前記クラスタ割当制御装置に接続されて、前記加入者によって使用される前記１つ又は複数のクラスタのグループにおける前記少なくとも１つのクラスタを表示するような通知を前記加入者へ送信する、直交周波数分割多重（ＯＦＤＭＡ）トランシーバと、
を備え、
前記クラスタ割当制御装置は、前記クラスタの１つ又は複数のグループに関する追加のフィードバック情報を受信し、且つ、前記加入者に追加のクラスタを割り当てる働きをすることを特徴とする装置。
【請求項１２】
少なくとも１つのサブキャリアのクラスタから成る複数のグループの中の１つ又は複数のグループの加入者による選択の表示を受信し、且つ、前記加入者が選択した１つ又は複数のクラスタのグループの中の少なくとも１つのクラスタを前記加入者との通信に使用するために割り当てる、クラスタ割当制御装置であって、前記少なくとも１つのサブキャリアのクラスタが１つの加入者に割り当てられるだけである、前記クラスタ割当制御装置と、
前記クラスタ割当制御装置に接続されて、前記加入者によって使用される前記１つ又は複数のクラスタのグループにおける前記少なくとも１つのクラスタを表示するような通知を前記加入者へ送信する、直交周波数分割多重（ＯＦＤＭＡ）トランシーバと、
を備えることを特徴とする装置。